Podtech/llm-jp-corpus-v4-ja_patent huggingface dataset:
(57)【特許請求の範囲】
【請求項１】
飲用缶を多段詰め込む、箱の片側の横壁の中央部に、上部は、横壁の上部から、下部は横壁の下部までの長さで、指先が入る巾の長孔を開け、且、長孔に透明または、不透明の目隠しシールを貼り、該目隠しシールの中間部に、横向きのミシン線か切り線を入れ、目隠しシールを上部と下部を分断できるようにしたことを特徴とする飲用缶を取り出しやすくした長孔。
【発明の詳細な説明】
【技術分野】
【０００１】  本発明は、飲用缶を取り出しやすくした長孔に関する。
【背景技術】
【０００２】  従来、箱詰めした飲用缶（以下管に畧）は、箱に密着して詰め込んでいるため取り出し難い。そのため、手が不自由な人、おとしより、子供は取り出せない。【０００３】      １．特開２０１９−１２７３２１号公報
２．特開２０００−２８１０４８号公報
３．登録実用新案第３２２０４２０号公報
４．特開平８−２３０９５８号公報
【発明の概要】
【発明が解決しようとする課題】
【０００４】  箱詰めした缶を、手が不自由な人、おとしより、子供でも簡単に取り出せるようにすることを目的とする。
【課題を解決するための手段】
【０００５】  飲用缶を多段詰め込む、箱の片側の横壁の中央部に、上部は、横壁の上部から、下部は横壁の下部までの長さで、指先が入る巾の長孔を開け、且、長孔に透明または、不透明の目隠しシールを貼り、該目隠しシールの中間部に、横向きのミシン線か切り線を入れ、目隠しシールを上部と下部を分断できるようにしたものである。
【発明の効果】
【０００６】  飲用缶を取り出す時は、先ず、箱上部の蓋を開け、上部の目隠しシールをミシン線か切線に沿って剥げば、長孔から上段側の飲用缶が出現するので、指を挿し込み、最上段の飲用缶から簡単に取り出すことができる。
上段の缶を出し終って、下段の缶を取り出す時は、下段の目隠しシールを剥げば、上段と同じように、下段の飲用缶が出現するので、上段と同じように、下段の飲用缶も簡単に取り出すことができる。【０００７】  したがって、最上段から最下段の飲用缶まで、手が不自由な人、おとしより、子供でも簡単に取り出すことができる。【０００８】  なお、本発明の構造簡単で、ジュース、ビール、食用油等の食品缶の外、薬品、塗料、化粧用管等にも使用可能である等の諸特徴を有するもである。
【図面の簡単な説明】
【０００９】
【図１】  本発明の一部破断正面図
【図２】  図１の右側面図
【課題を解決するための手段】
【００１０】  本発明は、飲用缶１を多段に詰め込む箱２に実施する。
すなわち、箱２の横壁の中央部に、上部は横壁の上部から、下部は横壁の下部までの長さで、指先が入る巾の長孔３を開けている。且、長孔３には、透明または、不透明の目隠しシール４を貼り、目隠しシール４の中間部の横方向に、目隠しシール４を分断しやすいように、横方向のミシン線５か切り線を入れている。
【００１１】  なお、長孔３の巾は、中指または、人差し指の差し込み用とする時は、２センチ、指２本を差し込む時は３センチ位の巾にし、大型の缶をつめ込む時は、長孔３の巾を広めにし、２本以上の指が入るようにしたがよい。
【符号の説明】
【００１２】１    飲用缶            ４    目隠しシール
２    箱                ５    ミシン線
３    長孔
【図１】
0006941668.tif 000002
【図２】
0006941668.tif 000003
(57)【特許請求の範囲】
【請求項１】
「バケット（４）を、スイッチ板（５）の左側に設け、バケット（４）を蛇口（３）の真下に設け、蛇口（３）からの放水をバケット（４）で受け止め、スイッチ板（５）の右側に下バネ板（８）を設け、水道管（１）に留め具（１３）を設け、留め具（１３）の突起（１５）にスイッチ板（５）を回動自在に設け、水道管（１）に留め具（１４）を設け、留め具（１４）の突起（１５）に上バネ板（９）を設け、水道管（１）に電池（１１）とベル（１２）を設け、導線（１０）を、下バネ板（８）と電池（１１）とベル（１２）と上バネ板（９）の順に連絡し、蛇口（３）からの放水によりスイッチ板（５）を回動させ、下バネ板（８）と上バネ板（９）を接触させることで、ベル（１２）を鳴動させる事を特徴した放水を知らせる感知器。」
【発明の詳細な説明】
【技術分野】
【０００１】
本発明は、水道の放水を知らせる事に関するものである。
【背景技術】
【０００２】
家庭用の水道管の放水を知らせる信号は、見当たらない。
【発明の概要】
【発明が解決しようとする課題】
【０００３】
高齢者、子供、身体障害者、健忘症、認知症等の人が、水道管の弁の締め忘れが多い、為に、介護人、家族が、現場に出向いて蛇口の締め忘れの点検するのが大変である。
給湯器の長時間の使用を停止して、水とガスの無駄遣いを無くす。
本発明は、以上の問題点を解決するためになされたものである。
【課題を解決するための手段】
【０００４】
バケット(4)を、スイッチ板（5）の左側に設け、バケット(4)を蛇口(3)の真下に設け、蛇口(3)からの放水をバケット(4)で受け止め、スイッチ板（5）の右側に下バネ板（8）を設け、水道管（1）に留め具（13）を設け、留め具（13）の突起（15）に、スイッチ板（5）を回動自在に設け、水道管（1）に留め具（14）を設け、突起（15）に、上バネ板（9）を設け、導線（10）を、下バネ板（8）と電池(11)とベル(12)と上バネ板（9）等連結をする。
以上の構成よりなる放水を知らせる感知器。
【発明の効果】
【０００５】
（1）水を節約する。
（2）給湯器と連結の場合に、ガスを節約する。
（3）介護人、家族等が水道管から、離れている場合に、放水時にベルが鳴動し、断水時にベルが鳴動しないので、放水状態が分かり、いちいち水道管の点検をする、必要が無いので介護人、家族の負担を減少させる。
【図面の簡単な説明】
【０００６】
【図１】本発明のレバーが上がり、放水されて、バケットが下がり、バネ板同士が接触した側面図。
【図２】本発明の一部を除いて、バケットが上に上がり、右側のスイッチ板と下バネ板が下に下がった側面図。
【図３】本発明の一部を除いて、スイッチ板の断面図。
【発明を実施するための形態】
【０００７】
以下、本発明の実施の形態を説明する。
（イ）水道管（1）とレバー（2）と蛇口（3）等は、既製品。
（ロ）バケット（４）は、箱形で左端の横板がなし、バケット（4）をスイッチ板（5）の左に設け、蛇口（3）より放水を受け止め、スイッチ板（5）の、左側を下に下げ、右側のスイッチ板（5）を、上に上げ、下バネ板（8）を上に上げて、上バネ板（9）に接触する。
（ハ）スイッチ板（5）は、角板で、素材は、絶縁体にし、留め具（13）の突起（15）に、回動自在に設ける。
（ニ）ボルト（6）は、丸棒形で、留め具（13）の突起（15）に設け、スイッチ板（5）を支える。
（ホ）下バネ板（8）は、へ形の銅板、スイッチ板（5）の右側に設ける。
（へ）上バネ板（9）は、へ形の銅板、留め具（14）の突起（15）に設ける。
（ト）導線（10）は、線状で、下バネ板（8）、電池（11）、ベル（12）、上バネ板（9）、等に連結して、電気を流す。
（チ）電池（11）は、乾電池を使用し、蓋付きケース（19）に入れて、水道管（1）に設ける。
（リ）ベル（12）は、蓋付きケース（19）に入れて、水道管（1）に設け、なお、ベル（12）の代替えとして、ブザー、オルゴール等を、利用可。
（ヌ）留め具（13）は、円形で突起があり、円形は、水道管（1）に設け、突起（15）にボルト（6）を嵌め、ボルト（6）をナット（7）で締め、ボルト（6）を軸にして、スイッチ板（5）を支え、スイッチ板（5）の重心より少し左寄りに設け、バランスを崩して、スイッチ板（5）の右側を下に下げて、下バネ板（8）と上バネ板（9）を離脱させる。
（ル）留め具（14）は、水道管（1）に設け、突起（15）に、上バネ板（9）を留める。
（オ）輪ゴム（17）は、輪形で、導線（10）を、水道管（1）に設ける。
（ワ）水の流れ（19）は、蛇口（3）より放水され、バケット（４）に入り左側のスイッチ板（5）を下に下げて、下バネ板（8）と上バネ板（9）が接触してベル（12）が鳴動し、水が外部に放水される。
（カ）蓋付きケース（19）は、水道管に設け、蓋付きケース（19）の中に、電池（11）とベル（12）を入れ、また、電池交換時に蓋を開閉する。
本発明は以上のような構造である。
本発明を使用するときは。
レバー（2）を上に上げて、水をだすと、水がバケット(4)に入り水力で、スイッチ板（5）の左側が下に下がり、スイッチ板（5）の右側が上に上がって、下バネ板（8）と上バネ板（9）が接触すると、ベル（12）が鳴動する。
レバー（2）を下げると、水が止まり、左側のスイッチ板(5)とバケット（4）が上に上がり、右側のスイッチ板(5)が下に下がり、下バネ板（8）と上バネ板（9）が離脱して、スイッチが切れて、ベル（12）が停止する。
【符号の説明】
【０００８】
1水道管、2レバー、3蛇口、4バッケト、5スイッチ板、6ボルト、7ナット、8下バネ板、9上バネ板、10導線、11電池、12ベル、13留め具、14留め具、15突起、 16 留めネジ、17 輪ゴム、1 8水の流れ、19蓋付きケース。 
【要約】      （修正有）【課題】高齢者、子供、身体障害、健忘症、認知症等の人が、水道管の弁の締め忘れが多いので、介護人、家族等がいちいち締め忘れの点検することが非常に大変である。水とガスの無駄遣いを無くすことができる感知器を提供する。【解決手段】バケット４を、スイッチ板５の左側に設け、バケット４を蛇口３の真下に設け、蛇口３からの放水を受け止めて、左側のスイッチ板５を下げ、右側のスイッチ板５を上げる、右側のスイッチ板５に、下バネ板８を設け、下バネ板８の上部に間を開けて、上バネ板９を設け、バネ板同士を接触と離脱を可能にし、スイッチ板５を、水道管１の下に、回動自在に設け、導線１０を、下バネ板８と電池１１とベル１２と上バネ板９等に連結し、全体に電気を通電と不通電をさせて、水力で、スイッチの切り替えをする事を特徴した放水を知らせる感知器。【選択図】図１【図１】
0006821078.tif 000002
【図２】
0006821078.tif 000003
【図３】
0006821078.tif 000004